(57)【要約】【課題】差込接続器ハウジングのモジュール支持装置内に挿入するための差込接続器モジュールを改良して、遮蔽されたケーブルによって伝送される、妨害に対して敏感な電気信号のために、妨害放射に対する遮蔽を提供できるようにする。【解決手段】絶縁性の材料から成る保持体（１０）内に、コネクタ挿入体（３０）を備えた導電性のシェル・ハウジング（２０）が保持されており、保持体（１０）がシェル・ハウジング（２０）とコネクタ挿入体（３０）と共にモジュール支持装置（４０）内で係止可能であり、しかもシェル・ハウジング（２０）にはクランプ（２８）が設けられていて、該クランプ（２８）によって、コネクタ挿入体（３０）に通じている信号ラインが固定可能であって、その際に、該信号ラインの遮蔽編組がシェル・ハウジングにコンタクトさせられているようにした。【選択図】図１
2004103586.tif 000002
【特許請求の範囲】
【請求項１】
　差込接続器ハウジング（５０）のモジュール支持装置（４０）内に挿入するための、妨害放射に対する遮蔽を備えた差込接続器モジュール（１）において、絶縁性の材料から成る保持体（１０）内に、コネクタ挿入体（３０）を備えた導電性のシェル・ハウジング（２０）が保持されており、保持体（１０）がシェル・ハウジング（２０）とコネクタ挿入体（３０）と共にモジュール支持装置（４０）内で係止可能であり、しかもシェル・ハウジング（２０）にはクランプ（２８）が設けられていて、該クランプ（２８）によって、コネクタ挿入体（３０）に通じている信号ラインが固定可能であり、その際に、該信号ラインの遮蔽編組がシェル・ハウジングにコンタクトさせられていることを特徴とする差込接続器モジュール。
【請求項２】
　シェル・ハウジング（２０）が保持体（１０）に係止可能である、請求項１記載の差込接続器モジュール。
【請求項３】
　コネクタ挿入体（３０）がシェル・ハウジング（２０）内で固定可能である、請求項１または２記載の差込接続器モジュール。
【請求項４】
　クランプ（２８）がシェル・ハウジング（２０）の、延長された側面（２２）に固定可能である、請求項１から３までのいずれか一項記載の差込接続器モジュール。
【発明の詳細な説明】
【技術分野】
【０００１】
　本発明は、差込接続器ハウジングのモジュール支持装置内に挿入するための、妨害放射に対する遮蔽を備えた差込接続器モジュールに関する。
【背景技術】
【０００２】
　この種の差込接続器モジュールは、妨害に対して敏感な電気信号を、種々異なる電位を有するモジュールが配置されている産業用コネクタハウジングにより伝達するために必要とされる。
【０００３】
　ドイツ連邦共和国特許出願公開第３６１５３５６号明細書から公知の、コンピュータ機器にケーブルを接続するためのケーブルコネクタは２つの半シェルから成っており、両半シェルは、電気的な妨害に対して強いように互いに結合されて、かつ電気的に絶縁性に、熱可塑性樹脂系のプラスチックによる射出成形によって包囲されている。
【０００４】
　この種のケーブルコネクタは、オフィス・コミュニケーションの分野での使用には全く十分なものであるが、産業分野での使用のためには十分に安定ではなく、環境影響から保護されていない。
【特許文献１】ドイツ連邦共和国特許出願公開第３６１５３５６号明細書
【発明の開示】
【発明が解決しようとする課題】
【０００５】
　それゆえ、本発明の課題は、産業分野での使用に耐え得るコネクタハウジング内のモジュール支持装置内に配置される、冒頭で述べた形式の差込接続器モジュールを改良して、遮蔽されたケーブルによって伝送される、妨害に対して敏感な電気信号のために、妨害放射に対する遮蔽を提供できるようにすることである。
【課題を解決するための手段】
【０００６】
　この課題を解決するために本発明の構成では、絶縁性の材料から成る保持体内に、コネクタ挿入体を備えた導電性のシェル・ハウジングが保持されており、保持体がシェル・ハウジングとコネクタ挿入体と共にモジュール支持装置内で係止可能であり、しかもシェル・ハウジングにはクランプが設けられていて、該クランプにより、コネクタ挿入体に通じている信号ラインが固定可能であって、その際に、該信号ラインの遮蔽編組がシェル・ハウジングにコンタクトさせられているようにした。
【発明の効果】
【０００７】
　本発明の有利な構成は請求項２〜４に記載されている。
【０００８】
　ますます非集中型の接続技術の方向へと進展する自動化技術において、電気的に敏感な信号を、例えばセンサから伝達しなければならない傾向が顕著になってきている。しかし、この種の装置は、故障した構成部分の迅速かつ問題のない交換を保証するために、差込可能に構成されていなければならない。
【０００９】
　しかも、差込接続は産業分野のために適合させられていなければならないし、かつ丈夫に構成されていなければならない。
【００１０】
　本発明により得られる利点は特に、この種の、いわゆる「Ｄ−Ｓｕｂコネクタ」挿入体として構成された差込接続器モジュールが、相応の差込接続器ハウジング内の、既に公知であって信頼性が高くかつ丈夫なモジュール支持装置内に挿入可能である点である。同時にこの差込接続器モジュールの構造型式に基づいて、互いに無関係な大地電位（Ｅｒｄｐｏｔｅｎｚｉａｌ）を有していて、しかも電力供給、ニューマチックまたはこれに類するものを伝達する差込接続器モジュールを含む、複数の遮蔽された差込接続器モジュールを相互的な干渉なしに問題なく統合することが保証されている。差込接続器モジュールは保持体からなっており、この保持体内に、Ｄ−Ｓｕｂコネクタ挿入体を供えた導電性のシェル・ハウジングが係止されている。
【００１１】
　遮蔽されたケーブルの遮蔽編組は、ねじクランプによりシェル・ハウジングに結合される。
【００１２】
　それにより、複数の差込接続器モジュールは遮蔽に関して種々異なるアース電位（Ｍａｓｓｅｐｏｔｅｎｚｉａｌ）を有して、互いに無関係にモジュール支持装置内に挿入されることもできる。
【発明を実施するための最良の形態】
【００１３】
　以下に図面を参照しながら本発明の実施例について詳説する。
【００１４】
　図１には、この差込接続器モジュールのために設けられた個々のエレメントが分解された形で図示されている。
【００１５】
　方形に成形された、モジュールボディとして働く保持体１０は非伝導性の材料から製作されており、その際、２つの互いに対向して位置する側壁１２は、前記側壁１２に対して直角に配置された両側壁１４に比して長辺を成して構成されている。
【００１６】
　角隅領域にはそれぞれ、外方に向かって方向付けられた係止フック１６が形成されており、係止フック１６は直角のスリット１７により側壁から独立している。係止フック１６の下側でその中間には、外方に向かって方向付けられた付設部１８が一体成形されており、付設部１８は、モジュール支持装置４０に設けられた対応する切欠き４４内に進入可能である。
【００１７】
　保持体１０内にはシェル・ハウジング２０が嵌め込み可能および係止可能である。方形に成形されたシェル・ハウジング２０は、その他の３つの側面に比べて延長された側面２２、つまり組付け面もしくは固定プレートを有しており、この側面２２に固定クランプ２８が螺設可能であって、固定クランプ２８により、信号ケーブルの遮蔽が導電性のシェル・ハウジング２０にコンタクトするようになっている。
【００１８】
　さらに差込側には、ねじ山付孔２６が設けられており、ねじ山付孔２６において、本例ではＤ−Ｓｕｂコネクタとして形成されているコネクタ挿入体３０が、ねじ３２により固定可能である。同じく、固定は係止手段またはリベットによって行われることができる。
【００１９】
　図２には、差込モジュール１と、これに適合した対応コネクタモジュール３とが、それぞれ別個には組立てられているが、互いには差し込まれていない状態で示されており、本図では、差込面は互いに向かい合わせに方向付けられている。重要なことは、保持ボディ１０内に係止されているシェル・ハウジング２０において、電気的に遮蔽されたケーブルのための固定クランプ２８を備えたねじ２９と、固定ねじ３２を備えたコネクタ挿入体３０とが見えることである。
【００２０】
　図３には、既に公知のモジュール支持装置４０内に配置されている複数の差込接続器モジュールが示されている。
【００２１】
　個々のモジュールは、モジュール支持装置４０のフレームに設けられた切欠き４４内に進入した付設部１８により位置決めされ、その一方で、係止フック１６がモジュール支持装置４０の側壁の４２の縁部に係止している。
【００２２】
　図４には、コネクタハウジング５０と対応・コネクタハウジング５２とを備えた完体の差込接続装置が示されており、本図の場合、両方のコネクタにはモジュール支持装置４０が設けられており、モジュール支持装置４０内に、同様にコネクタモジュールが組み付けられている。
【００２３】
　図４では、モジュール支持装置４０とこの中に挿入されたコネクタモジュール１，３とを図示するために、ハウジング５０は部分的に切開されている。
【図面の簡単な説明】
【００２４】
【図１】差込接続器モジュールを分解して示した斜視図である。
【００２５】
【図２】差込接続器モジュールを、対応コネクタと共に示した斜視図である。
【００２６】
【図３】モジュール支持体内に嵌めこまれた差込接続器モジュールの斜視図である。
【００２７】
【図４】差込接続器ハウジング内の、差込接続器モジュールが嵌め込まれたモジュール支持体を示す斜視図である。
【符号の説明】
【００２８】
　１　差込接続器モジュール、　３　対応コネクタ、　１０　保持体、　１２　側壁（長辺）、　１４　側壁（短辺）、　１６　係止フック、　１７　角隅スリット、　１８　係止のための付設部、　２０　シェル・ハウジング、　２２　クランプのための側面、　２４　係止舌片、　２６　コネクタ挿入体のための孔、　２８　固定クランプ、　２９　クランプのためのねじ、　３０　コネクタ挿入体、　３２　ねじ、　３４　ねじのための開口、　４０　モジュール支持装置、　４２　側面、　４４　付設部１８のための切欠き、　５０　差込接続器ハウジング、　５２　対応・差込接続器ハウジング
【図１】
2004103586.tif 000003
【図２】
2004103586.tif 000004
【図３】
2004103586.tif 000005
【図４】
2004103586.tif 000006